【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
データをセキュアに伝送する方法であって、
値の第１のシーケンスを備える暗号化されていないデータストリームを取得することと、
前記値の第１のシーケンスの第１の部分を第１の変数に等しい語長を有するオリジナルの第１の単語にセグメント化することと、
前記値の第１のシーケンスの第２の部分を前記第１の変数と異なる第２の変数に等しい語長を有するオリジナルの第２の単語にセグメント化することと、
前記オリジナルの第１および第２の単語内の所定の場所にランダム値を挿入し、修正された第１および第２の単語を生成することであって、前記修正された第１および第２の単語は、前記第１および第２の変数と異なる第３の変数に等しい語長を有する、ことと、
前記修正された第１および第２の単語を、暗号化されたデータストリームを定義する値の第２のシーケンスに組み合わせることと
を含む、方法。
【請求項２】
前記値の第１のシーケンス内の各値は、２進値である、請求項１に記載の方法。
【請求項３】
前記値の第１のシーケンス内の各値は、１６進値である、請求項１に記載の方法。
【請求項４】
前記方法は、前記暗号化されていないデータストリームを生成したコンピュータと異なる遠隔コンピュータによって実施される、請求項１に記載の方法。
【請求項５】
前記暗号化されたデータストリームを宛先デバイスに伝送することをさらに含む、請求項１に記載の方法。
【請求項６】
前記第１、第２、および第３の変数は、前記宛先デバイスによって把握される、請求項５に記載の方法。
【請求項７】
前記第１、第２、および第３の変数は、時間の関数として変化する、請求項１に記載の方法。
【請求項８】
前記暗号化されたデータストリームを復号化することをさらに含み、
前記値の第２のシーケンスを備える前記暗号化されたデータストリームを取得すことと、
前記値の第２のシーケンスの少なくとも一部を前記修正された第１および第２の単語にセグメント化することであって、前記修正された第１および第２の単語は、前記第３の変数に等しい語長を有する、ことと、
前記修正された第１および第２の単語内の所定の場所における値を除去し、前記第１の変数に等しい語長を伴う前記オリジナルの第１の単語および前記第２の変数に等しい語長を伴う前記オリジナルの第２の単語を生成することと、
前記オリジナルの第１および第２の単語を、前記暗号化されていないデータストリームを定義する前記値の第１のシーケンスに組み合わせることと
を含む、請求項１に記載の方法。
【請求項９】
データを復号化する方法であって、
値の第２のシーケンスを備える暗号化されたデータストリームを取得することと、
前記値の第２のシーケンスの少なくとも一部を修正された第１および第２の単語にセグメント化することであって、前記修正された第１および第２の単語は、第３の変数に等しい語長を有する、ことと、
前記修正された第１および第２の単語内の所定の場所における値を除去し、第１の変数に等しい語長を伴うオリジナルの第１の単語および第２の変数に等しい語長を伴うオリジナルの第２の単語を生成することと、
前記オリジナルの第１および第２の単語を、暗号化されていないデータストリームを定義する値の第１のシーケンスに組み合わせることと
を含む、方法。
【請求項１０】
前記値の第１のシーケンス内の各値は、２進値である、請求項９に記載の方法。
【請求項１１】
前記値の第１のシーケンス内の各値は、１６進値である、請求項９に記載の方法。
【請求項１２】
前記暗号化されていないデータストリームを遠隔コンピュータに伝送することをさらに含む、請求項９に記載の方法。
【請求項１３】
ソースデバイスから前記暗号化されたデータストリームを受信することをさらに含む、請求項９に記載の方法。
【請求項１４】
前記第１、第２、および第３の変数は、前記ソースデバイスによって把握される、請求項１３に記載の方法。
【請求項１５】
前記第１、第２、および第３の変数は、時間の関数として変化する、請求項９に記載の方法。
【手続補正２】
【補正対象書類名】明細書
【補正対象項目名】００２０
【補正方法】変更
【補正の内容】
【００２０】
本開示は、付随の図面に図示される形態において具現化されてもよい。しかしながら、図面は、例証的であるという事実に注目されたい。変形例が、請求項の範囲によってのみ限定される、本開示の一部であると考慮される。
本発明は、例えば、以下を提供する。
（項目１）
データをセキュアに伝送する方法であって、
値の第１のシーケンスを備える暗号化されていないデータストリームを取得することと、
前記値の第１のシーケンスの第１の部分を第１の変数に等しい語長を有するオリジナルの第１の単語にセグメント化することと、
前記値の第１のシーケンスの第２の部分を前記第１の変数と異なる第２の変数に等しい語長を有するオリジナルの第２の単語にセグメント化することと、
前記オリジナルの第１および第２の単語内の所定の場所にランダム値を挿入し、修正された第１および第２の単語を生成することであって、前記修正された第１および第２の単語は、前記第１および第２の変数と異なる第３の変数に等しい語長を有する、ことと、
前記修正された第１および第２の単語を、暗号化されたデータストリームを定義する値の第２のシーケンスに組み合わせることと
を含む、方法。
（項目２）
前記値の第１のシーケンス内の各値は、２進値である、項目１に記載の方法。
（項目３）
前記値の第１のシーケンス内の各値は、１６進値である、項目１に記載の方法。
（項目４）
前記方法は、前記暗号化されていないデータストリームを生成したコンピュータと異なる遠隔コンピュータによって実施される、項目１に記載の方法。
（項目５）
前記暗号化されたデータストリームを宛先デバイスに伝送することをさらに含む、項目１に記載の方法。
（項目６）
前記第１、第２、および第３の変数は、前記宛先デバイスによって把握される、項目５に記載の方法。
（項目７）
前記第１、第２、および第３の変数は、時間の関数として変化する、項目１に記載の方法。
（項目８）
前記暗号化されたデータストリームを復号化することをさらに含み、
前記値の第２のシーケンスを備える前記暗号化されたデータストリームを取得すことと、
前記値の第２のシーケンスの少なくとも一部を前記修正された第１および第２の単語にセグメント化することであって、前記修正された第１および第２の単語は、前記第３の変数に等しい語長を有する、ことと、
前記修正された第１および第２の単語内の所定の場所における値を除去し、前記第１の変数に等しい語長を伴う前記オリジナルの第１の単語および前記第２の変数に等しい語長を伴う前記オリジナルの第２の単語を生成することと、
前記オリジナルの第１および第２の単語を、前記暗号化されていないデータストリームを定義する前記値の第１のシーケンスに組み合わせることと
を含む、項目１に記載の方法。
（項目９）
データを復号化する方法であって、
値の第２のシーケンスを備える暗号化されたデータストリームを取得することと、
前記値の第２のシーケンスの少なくとも一部を修正された第１および第２の単語にセグメント化することであって、前記修正された第１および第２の単語は、第３の変数に等しい語長を有する、ことと、
前記修正された第１および第２の単語内の所定の場所における値を除去し、第１の変数に等しい語長を伴うオリジナルの第１の単語および第２の変数に等しい語長を伴うオリジナルの第２の単語を生成することと、
前記オリジナルの第１および第２の単語を、暗号化されていないデータストリームを定義する値の第１のシーケンスに組み合わせることと
を含む、方法。
（項目１０）
前記値の第１のシーケンス内の各値は、２進値である、項目９に記載の方法。
（項目１１）
前記値の第１のシーケンス内の各値は、１６進値である、項目９に記載の方法。
（項目１２）
前記暗号化されていないデータストリームを遠隔コンピュータに伝送することをさらに含む、項目９に記載の方法。
（項目１３）
ソースデバイスから前記暗号化されたデータストリームを受信することをさらに含む、項目９に記載の方法。
（項目１４）
前記第１、第２、および第３の変数は、前記ソースデバイスによって把握される、項目１３に記載の方法。
（項目１５）
前記第１、第２、および第３の変数は、時間の関数として変化する、項目９に記載の方法。
（項目１６）
方法であって、
データの第１の部分を、デフォルトの第１の語長を有する少なくとも１つの第１のデータ語に構文解析することと、
デフォルトの語長モードにおいて、前記少なくとも１つの第１のデータ語を出力することと、
可変語長モードへの遷移を示す遷移語を出力することと、
前記遷移語の後に、第２の語長を示す第１の語長単語を出力することと、
前記データの第２の部分を、前記第２の語長を有する少なくとも１つの第２のデータ語に構文解析することと、
前記第１の語長単語の後に、前記第２の語長を有する前記少なくとも１つの第２のデータ語を出力することと
を含む、方法。
（項目１７）
前記少なくとも１つの第２のデータ語のそれぞれに対応する個別のフラグビットを出力することであって、前記個別のフラグビットは、前記少なくとも１つの第２のデータ語の対応する第２のデータ語が、前記少なくとも１つの第２のデータ語の最後の第２のデータ語であるかどうかを示す、こと
をさらに含む、項目１６に記載の方法。
（項目１８）
個別のフラグビットが前記対応する第２のデータ語が前記少なくとも１つの第２のデータ語の最後の第２のデータ語であることを示した後に、第３の語長を示す第２の語長単語を出力することと、
前記データの第３の部分を、前記第３の語長を有する少なくとも１つの第３のデータ語に構文解析することと、
前記第２の語長単語の後に、前記第３の語長を有する前記少なくとも１つの第３のデータ語を出力することと
をさらに含む、項目１７に記載の方法。
（項目１９）
個別のフラグビットが前記対応する第２のデータ語が前記少なくとも１つの第２のデータ語の最後の第２のデータ語であることを示した後に、前記デフォルトの語長モードへの遷移を示す終了語を出力することと、
前記データの第３の部分を前記デフォルトの第１の語長を有する少なくとも１つの第３のデータ語に構文解析することと、
前記終了語の後に、前記デフォルトの第１の語長を有する少なくとも１つの第３のデータ語を出力することと
をさらに含む、項目１７に記載の方法。
（項目２０）
前記終了語の語長は、前記第１の語長単語の語長と同一である、項目１９に記載の方法。
（項目２１）
前記少なくとも１つの第２のデータ語の各第２のデータ語の直後に、前記第２のデータ語が前記少なくとも１つの第２のデータ語の最後の第２のデータ語であるかどうかを示す個別のフラグビットを出力することをさらに含む、項目１６に記載の方法。
（項目２２）
前記少なくとも１つの第２のデータ語の各第２のデータ語の直前に、前記第２のデータ語が前記少なくとも１つの第２のデータ語の最後の第２のデータ語であるかどうかを示す個別のフラグビットを出力することをさらに含む、項目１６に記載の方法。
（項目２３）
前記デフォルトの第１の語長は、８ビットであり、
前記遷移語は、前記デフォルトの第１の語長であり、
前記遷移語は、ＡＳＣＩＩ文字に割り当てられない、
項目１６に記載の方法。
（項目２４）
前記第１の語長単語は、前記第２の語長を明示的に示す、項目１６に記載の方法。
（項目２５）
前記第１の語長単語は、前記第２の語長にマッピングされる値を有する、項目１６に記載の方法。
（項目２６）
前記第１の語長単語の値は、標準テーブル内で前記第２の語長にマッピングされる、項目２５に記載の方法。
（項目２７）
前記第２の語長にマッピングされている前記第１の語長単語の値を示すヘッダを出力することをさらに含む、項目２５に記載の方法。
（項目２８）
方法であって、
データの第１の部分をデフォルトの語長を有する少なくとも１つの第１のデータ語に構文解析することと、
デフォルトの語長モードにおいて、前記デフォルトの語長を有する前記少なくとも１つの第１のデータ語を出力することと、
可変語長モードへの遷移を示す遷移語を出力することと、
前記遷移語の後に、個別の語長を示す少なくとも１つの語長単語を出力することと、
前記データの第２の部分を少なくとも１つの第２のデータ語に構文解析することであって、前記少なくとも１つの第２のデータ語はそれぞれ、個別の語長を有する、ことと、
前記少なくとも１つの語長単語のそれぞれの後に、前記少なくとも１つの第２のデータ語の対応する第２のデータ語を出力することであって、前記少なくとも１つの語長単語はそれぞれ、前記対応する第２のデータ語の個別の語長を示す、ことと
を含む、方法。
（項目２９）
前記デフォルトの語長モードへの遷移を示す終了語を出力することと、
データの第３の部分を前記デフォルトの語長を有する少なくとも１つの第３のデータ語に構文解析することと、
前記終了語の後に、前記デフォルトの語長を有する前記少なくとも１つの第３のデータ語を出力することと
をさらに含む、項目２８に記載の方法。
（項目３０）
前記終了語は、前記少なくとも１つの第２のデータ語の第２のデータ語の直後に出力され、
前記終了語の語長は、前記少なくとも１つの語長単語の語長と同一である、
項目２９に記載の方法。
（項目３１）
終了語の語長を示す終了語長単語を出力することと、
前記終了語長単語を出力した後、前記デフォルトの語長モードへの遷移を示す終了語を出力することと、
データの第３の部分を前記デフォルトの語長を有する少なくとも１つの第３のデータ語に構文解析することと、
前記終了語の後に、前記デフォルトの語長を有する前記少なくとも１つの第３のデータ語を出力することと
をさらに含む、項目２８に記載の方法。
（項目３２）
前記終了語の語長は、前記少なくとも１つの語長単語の語長と同一である、項目３１に記載の方法。
（項目３３）
前記少なくとも１つの語長単語はそれぞれ、前記個別の語長にマッピングされる個別の値を有する、項目２８に記載の方法。
（項目３４）
前記少なくとも１つの語長単語のそれぞれの前記個別の値は、標準テーブル内で前記個別の語長にマッピングされる、項目３３に記載の方法。
（項目３５）
前記個別の語長にマッピングされている前記少なくとも１つの語長単語のそれぞれの前記個別の値を示すヘッダを出力することをさらに含む、項目３３に記載の方法。
（項目３６）
方法であって、
複数の語長単語を出力することと、
データを複数のデータ語に構文解析することであって、前記複数のデータ語はそれぞれ、個別の語長を有する、ことと、
前記複数の語長単語のそれぞれの後に、前記複数のデータ語の対応するデータ語を出力することであって、前記複数の語長単語はそれぞれ、前記対応するデータ語の前記個別の語長を示す、ことと
を含む、方法。
（項目３７）
前記複数の語長単語の第１の語長単語は、第１の語長を示し、
前記第１の語長単語に対応する前記複数のデータ語の第１のデータ語は、第１の語長を有し、
前記複数の語長単語の第２の語長単語は、前記第１の語長と異なる第２の語長を示し、
前記第２の語長単語に対応する前記複数のデータ語の第２のデータ語は、前記第２の語長を有する、
項目３６に記載の方法。
（項目３８）
前記複数の語長単語はそれぞれ、個別の語長にマッピングされる個別の値を有する、項目３６に記載の方法。
（項目３９）
前記複数の語長単語のそれぞれの前記個別の値は、標準テーブル内で前記個別の語長にマッピングされる、項目３８に記載の方法。
（項目４０）
前記個別の語長にマッピングされている前記複数の語長単語のそれぞれの前記個別の値を示すヘッダを出力することをさらに含む、項目３８に記載の方法。
（項目４１）
方法であって、
第１の語長を示す第１の語長単語を出力することと、
データの第１の部分を前記第１の語長を有する少なくとも１つの第１の単語に構文解析することと、
前記第１の語長単語の後に、前記第１の語長を有する少なくとも１つの第１のデータ語を出力することと、
第２の語長を示す第２の語長単語を出力することと、
前記データの第２の部分を前記第２の語長を有する少なくとも１つの第２の単語に構文解析することと、
前記第２の語長単語の後に、前記第２の語長を有する少なくとも１つの第２のデータ語を出力することと
を含む、方法。
（項目４２）
前記少なくとも１つの第１のデータ語がそれぞれ、あるデータ語であることを示す、前記少なくとも１つの第１のデータ語のそれぞれに対応する個別のフラグビットを出力することと、
前記少なくとも１つの第２のデータ語がそれぞれ、あるデータ語であることを示す、前記少なくとも１つの第２のデータ語のそれぞれに対応する個別のフラグビットを出力することと、
前記第２の語長単語が、ある語長単語であることを示す、前記第２の語長単語に対応するフラグビットを出力することと
をさらに含む、項目４１に記載の方法。
（項目４３）
前記少なくとも１つの第１のデータ語のそれぞれ、前記第２の語長単語、および前記少なくとも１つの第２のデータ語のそれぞれの直前に個別のフラグビットを出力することであって、前記個別の第１のフラグビットは、前記後続単語があるデータ語またはある語長単語であるかどうかを示す、こと
をさらに含む、項目４１に記載の方法。
（項目４４）
前記少なくとも１つの第１のデータ語の各第１のデータ語の前または後のいずれかに、前記個別の第１のデータ語が前記少なくとも１つの第１のデータ語の最後のデータ語であるかどうかを示す個別のフラグビットを出力することと、
前記少なくとも１つの第２のデータ語の各第２のデータ語の前または後のいずれかに、前記個別の第２のデータ語が前記少なくとも１つの第２のデータ語の最後のデータ語であるかどうかを示す個別のフラグビットを出力することと
をさらに含む、項目４１に記載の方法。
（項目４５）
前記第１の語長単語は、前記第１の語長を明示的に示し、
前記第２の語長単語は、前記第２の語長を明示的に示す、
項目４１に記載の方法。
（項目４６）
前記第１の語長単語は、前記第１の語長にマッピングされる第１の値を有し、
前記第２の語長単語は、前記第２の語長にマッピングされる第２の値を有する、
項目４１に記載の方法。
（項目４７）
前記第１の値および前記第２の値は、それぞれ、標準テーブル内で前記第１の語長および前記第２の語長にマッピングされる、項目４６に記載の方法。
（項目４８）
前記第１の語長にマッピングされている前記第１の値および前記第２の語長にマッピングされている前記第２の値を示すヘッダを出力することをさらに含む、項目４６に記載の方法。
（項目４９）
方法であって、
デフォルトの語長モードにおいて、デフォルトの第１の語長を有する少なくとも１つの第１のデータ語を受信することと、
前記受信された少なくとも１つの第１のデータ語をデータの第１の部分として組み合わせることと、
可変語長モードへの遷移を示す遷移語を受信することと、
前記遷移語の後に、第２の語長を示す第１の語長単語を受信することと、
前記第１の語長単語の後に、前記第２の語長を有する少なくとも１つの第２のデータ語を受信することと、
前記受信された少なくとも１つの第２のデータ語を前記データの第２の部分として組み合わせることと
を含む、方法。
（項目５０）
前記少なくとも１つの第２のデータ語のそれぞれに対応する個別のフラグビットを受信することであって、前記個別のフラグビットは、前記少なくとも１つの第２のデータ語の対応する第２のデータ語が前記少なくとも１つの第２のデータ語の最後の第２のデータ語であるかどうかを示す、こと
をさらに含む、項目４９に記載の方法。
（項目５１）
個別のフラグビットが前記対応する第２のデータ語が前記少なくとも１つの第２のデータ語の最後の第２のデータ語であることを示した後に、第３の語長を示す第２の語長単語を受信することと、
前記最後の第２の語長単語の後に、前記第３の語長を有する少なくとも１つの第３のデータ語を受信することと、
前記受信された少なくとも１つの第３のデータ語を前記データの第３の部分に組み合わせることと
をさらに含む、項目５０に記載の方法。
（項目５２）
個別のフラグビットが前記対応する第２のデータ語が前記少なくとも１つの第２のデータ語の最後の第２のデータ語であることを示した後に、前記デフォルトの語長モードへの遷移を示す終了語を受信することと、
前記終了語の後に、前記デフォルトの第１の語長を有する少なくとも１つの第３のデータ語を受信することと、
前記受信された少なくとも１つの第３のデータ語を前記データの第３の部分に組み合わせることと
をさらに含む、項目５０に記載の方法。
（項目５３）
前記終了語の語長は、前記第１の語長単語の語長と同一である、項目５２に記載の方法。
（項目５４）
前記少なくとも１つの第２のデータ語の各第２のデータ語の直後に、前記第２のデータ語が前記少なくとも１つの第２のデータ語の最後の第２のデータ語であるかどうかを示す個別のフラグビットを受信することをさらに含む、項目４９に記載の方法。
（項目５５）
前記少なくとも１つの第２のデータ語の各第２のデータ語の直前に、前記第２のデータ語が前記少なくとも１つの第２のデータ語の最後の第２のデータ語であるかどうかを示す個別のフラグビットを受信することをさらに含む、項目４９に記載の方法。
（項目５６）
前記デフォルトの第１の語長は、８ビットであり、
前記遷移語は、前記デフォルトの第１の語長であり、
前記遷移語は、ＡＳＣＩＩ文字に割り当てられない、
項目４９に記載の方法。
（項目５７）
前記第１の語長単語は、前記第２の語長を明示的に示す、項目４９に記載の方法。
（項目５８）
前記第１の語長単語は、前記第２の語長にマッピングされる値を有する、項目４９に記載の方法。
（項目５９）
前記第１の語長単語の値は、標準テーブル内で前記第２の語長にマッピングされる、項目５８に記載の方法。
（項目６０）
前記第２の語長にマッピングされている前記第１の語長単語の値を示すヘッダを受信することをさらに含む、項目５８に記載の方法。
（項目６１）
方法であって、
デフォルトの語長モードにおいて、デフォルトの語長を有する前記少なくとも１つの第１のデータ語を受信することと、
前記少なくとも１つの第１のデータ語をデータの第１の部分に組み合わせることと、
可変語長モードへの遷移を示す遷移語を受信することと、
前記遷移語の後に、個別の語長を示す少なくとも１つの語長単語を受信することと、
前記少なくとも１つの語長単語のそれぞれの後に、個別の第２のデータ語を受信することであって、前記少なくとも１つの語長単語はそれぞれ、前記個別の第２のデータ語の対応する語長を示す、ことと、
前記少なくとも１つの第２のデータ語を前記データの第２の部分に組み合わせることと
を含む、方法。
（項目６２）
前記デフォルトの語長モードへの遷移を示す終了語を受信することと、
前記終了語の後に、前記デフォルトの語長を有する少なくとも１つの第３のデータ語を受信することと、
前記少なくとも１つの第３のデータ語を前記データの第３の部分に組み合わせることと
をさらに含む、項目６１に記載の方法。
（項目６３）
前記終了語は、第２のデータ語の直後に受信され、
前記終了語の語長は、前記少なくとも１つの語長単語の語長と同一である、
項目６２に記載の方法。
（項目６４）
終了語の語長を示す終了語長単語を受信することと、
前記終了語長単語を受信した後、前記デフォルトの語長モードへの遷移を示す終了語を受信することと、
前記終了語の後に、前記デフォルトの語長を有する少なくとも１つの第３のデータ語を受信することと、
前記少なくとも１つの第３のデータ語を前記データの第３の部分に組み合わせることと
をさらに含む、項目６１に記載の方法。
（項目６５）
前記終了語の語長は、前記少なくとも１つの語長単語の語長と同一である、項目６４に記載の方法。
（項目６６）
前記少なくとも１つの語長単語はそれぞれ、前記個別の語長にマッピングされる個別の値を有する、項目６１に記載の方法。
（項目６７）
前記少なくとも１つの語長単語のそれぞれの前記個別の値は、標準テーブル内で前記個別の語長にマッピングされる、項目６６に記載の方法。
（項目６８）
前記個別の語長にマッピングされている前記少なくとも１つの語長単語のそれぞれの前記個別の値を示すヘッダを受信することをさらに含む、項目６６に記載の方法。
（項目６９）
方法であって、
複数の語長単語を受信することと、
前記複数の語長単語のそれぞれの後に、複数のデータ語の個別のデータ語を受信することであって、前記複数の語長単語はそれぞれ、前記個別のデータ語の対応する語長を示す、ことと、
前記複数のデータ語を前記対応する語長に基づいてデータに組み合わせることと
を含む、方法。
（項目７０）
前記複数の語長単語の第１の語長単語は、第１の語長を示し、
前記第１の語長単語に対応する前記複数のデータ語の第１のデータ語は、前記第１の語長を有し、
前記複数の語長単語の第２の語長単語は、前記第１の語長と異なる第２の語長を示し、
前記第２の語長単語に対応する前記複数のデータ語の第２のデータ語は、前記第２の語長を有する、
項目６９に記載の方法。
（項目７１）
前記複数の語長単語はそれぞれ、個別の語長にマッピングされる個別の値を有する、項目６９に記載の方法。
（項目７２）
前記複数の語長単語のそれぞれの前記個別の値は、標準テーブル内で前記個別の語長にマッピングされる、項目７１に記載の方法。
（項目７３）
前記個別の語長にマッピングされている前記複数の語長単語のそれぞれの前記個別の値を示すヘッダを受信することをさらに含む、項目７１に記載の方法。
（項目７４）
方法であって、
第１の語長を示す第１の語長単語を受信することと、
前記第１の語長単語の後に、前記第１の語長を有する少なくとも１つの第１のデータ語を受信することと、
前記受信された少なくとも１つの第１のデータ語をデータの第１の部分に組み合わせることと、
第２の語長を示す第２の語長単語を受信することと、
前記第２の語長単語の後に、前記第２の語長を有する少なくとも１つの第２のデータ語を受信することと、
前記受信された少なくとも１つの第２のデータ語を前記データの第２の部分に組み合わせることと
を含む、方法。
（項目７５）
前記少なくとも１つの第１のデータ語がそれぞれ、あるデータ語であることを示す、前記少なくとも１つの第１のデータ語のそれぞれに対応する個別のフラグビットを受信することと、
前記少なくとも１つの第２のデータ語がそれぞれ、あるデータ語であることを示す、前記少なくとも１つの第２のデータ語のそれぞれに対応する個別のフラグビットを受信することと、
前記第２の語長単語が、ある語長単語であることを示す、前記第２の語長単語に対応するフラグビットを受信することと
をさらに含む、項目７４に記載の方法。
（項目７６）
前記少なくとも１つの第１のデータ語のそれぞれ、前記第２の語長単語、および前記少なくとも１つの第２のデータ語のそれぞれの直前に個別のフラグビットを受信することであって、前記個別の第１のフラグビットは、前記後続単語があるデータ語またはある語長単語であるかどうかを示す、こと
をさらに含む、項目７４に記載の方法。
（項目７７）
前記少なくとも１つの第１のデータ語の各第１のデータ語の前または後のいずれかに、前記個別の第１のデータ語が前記少なくとも１つの第１のデータ語の最後のデータ語であるかどうかを示す個別のフラグビットを受信することと、
前記少なくとも１つの第２のデータ語の各第２のデータ語の前または後のいずれかに、前記個別の第２のデータ語が前記少なくとも１つの第２のデータ語の最後のデータ語であるかどうかを示す個別のフラグビットを受信することと
をさらに含む、項目７４に記載の方法。
（項目７８）
前記第１の語長単語は、前記第１の語長を明示的に示し、
前記第２の語長単語は、前記第２の語長を明示的に示す、
項目７４に記載の方法。
（項目７９）
前記第１の語長単語は、前記第１の語長にマッピングされる第１の値を有し、
前記第２の語長単語は、前記第２の語長にマッピングされる第２の値を有する、
項目７４に記載の方法。
（項目８０）
前記第１の値および前記第２の値は、それぞれ、標準テーブル内で前記第１の語長および前記第２の語長にマッピングされる、項目７９に記載の方法。
（項目８１）
前記第１の語長にマッピングされている前記第１の値および前記第２の語長にマッピングされている前記第２の値を示すヘッダを受信することをさらに含む、項目７９に記載の方法。
（項目８２）
プロセッサによって実行されると、項目１−８１のうちのいずれかに記載の方法を実施するように前記プロセッサに命令する、その上に記憶されるコンピュータプログラムコードを有する、非一過性コンピュータ可読媒体。
（項目８３）
装置であって、
プロセッサと、
前記プロセッサによって実行されると、項目１−８１のうちのいずれかに記載の方法を実施するように前記プロセッサに命令する、その上に記憶されるコンピュータプログラムコードを有する、メモリと
を備える、装置。